(57)【特許請求の範囲】
【請求項１】
雑草の生長を防除しつつ、所望の植栽植物により施工面を緑化するシート状の基材であって、
扁平な第一の糸と、扁平な第二の糸とからなり、
上記第一の糸は、上記第二の糸よりも厚手且つ幅広に構成され、
上記第二の糸は、上記第一の糸よりも薄手且つ幅狭に構成され、
上記第一の糸と上記第二の糸とが交互に交錯して編み込まれた、
ことを特徴とする防草基材。
【請求項２】
上記第一の糸は緯方向に編み込まれ、
上記第二の糸は経方向に編み込まれている、
請求項１記載の防草基材。
【請求項３】
上記請求項１又は２記載の防草基材により、施工面を緑化する工法であって、
上記施工面上に、上記防草基材を敷設する工程と、
上記防草基材に、上記植栽植物の種子又は生体を配する工程と、を有する、
ことを特徴とする緑化工法。
【請求項４】
上記防草基材上に、一定の間隙を形成、維持する間隙形成基材を敷設する工程、をさらに有し、
上記植栽植物の種子又は生体は、上記防草基材上に敷設された上記間隙形成基材上に配する、
請求項３記載の緑化工法。
【請求項５】
上記植栽植物の種子又は生体に密接して、水分を保持した吸水性担体を配置する工程、をさらに有する、
請求項３又４記載の緑化工法。
【発明の詳細な説明】
【技術分野】
【０００１】
本発明は、施工面を緑化すると共に、雑草を防除する技術に関する。
【背景技術】
【０００２】
これまで、山地・平地を問わず、膨大な土地の管理が行われてきた。しかしながら、その労力並びに経済的負担は計り知れないものがあり、特に雑草の防除に費やされる労力やコスト等は甚大である。
そこで、雑草を防除するために、様々な技術が提供されてきたが、環境保護・コストや労力の削減等の問題は解消されていないままである。
【０００３】
例えば、特許文献１では、所定厚さの矩形状の本体部と、前記本体部の隣接する２つの上面を所定幅だけ延設して形成された上面段差部と、前記上面段差部が形成された辺部以外の２つの辺部に前記上面段差部と同じ幅だけ下面を延設して形成された下面段差部とを備え、前記上面段差部及び下面段差部の厚さの合計値は前記本体部の厚さとほぼ同じとなるように設定された緑化用板状パネル材が提供されている。また、当該緑化用板状パネルを複数枚平面状に配列し、隣接する前記緑化用板状パネル材の上面段差部及び下面段差部が所定長だけずらして重合した状態となるように敷設されており、このようにずらすことで形成された空き領域を植栽領域とするパネル構造が提案されている。
【先行技術文献】
【特許文献】
【０００４】
【特許文献１】特開２００８−３０７０２６号公報
【発明の概要】
【発明が解決しようとする課題】
【０００５】
上記特許文献１の技術では、緑化用板状パネルを隙間なく敷き詰めた場合には、雑草が生える余地はなくなるが、緑化するスペースまでなくなってしまう。一方、隙間を形成してこれを植栽領域とした場合には、当該隙間から雑草が生え、これを管理する必要があることから、緑化と雑草の防除という課題を何ら解決できない。
【０００６】
この点に関し、本発明は、多大な労力やコストをかけることなく、施工面を所望の植物で緑化すると共に、当該施工面における雑草の繁茂を防ぐ技術を提供することを目的とする。
【課題を解決するための手段】
【０００７】
上記目的を達成するため、本発明の一の観点に係る防草基材は、雑草の生長を防除しつつ、所望の植栽植物により施工面を緑化するシート状の基材であって、扁平な第一の糸と、扁平な第二の糸とからなり、上記第一の糸は、上記第二の糸よりも厚手且つ幅広に構成され、上記第二の糸は、上記第一の糸よりも薄手且つ幅狭に構成され、上記第一の糸と上記第二の糸とが交互に交錯して編み込まれたことを特徴とする。
【０００８】
また、上記第一の糸は緯方向に編み込まれ、上記第二の糸は経方向に編み込まれているものとしてもよい。
【０００９】
また、本発明の別の観点に係る緑化工法は、上記防草基材により、施工面を緑化する工法であって、上記施工面上に、上記防草基材を敷設する工程と、上記防草基材に、上記植栽植物の種子又は生体を配する工程と、を有することを特徴とする。
【００１０】
また、上記防草基材上に、一定の間隙を形成、維持する間隙形成基材を敷設する工程、をさらに有し、上記植栽植物の種子又は生体は、上記防草基材上に敷設された上記間隙形成基材上に配するものとしてもよい。
【００１１】
また、上記植栽植物の種子又は生体に密接して、水分を保持した吸水性担体を配置する工程、をさらに有するものとしてもよい。
【００１２】
また、上記防草基材と上記施工面との間に、水分を保持した吸水性ポリマーを配する工程、をさらに有するものとしてもよい。
【発明の効果】
【００１３】
本発明によれば、施工面の所望の植物で緑化することが出来ると共に、特段の労力やコストをかけずとも、雑草の繁茂を防ぐことができる。
【図面の簡単な説明】
【００１４】
【図１】本発明の実施形態に係る防草基材を示した外観斜視図である。
【図２】本発明の実施形態に係る緑化工法に用いる基材の敷設の仕方を示した模式図である。
【図３】本実施形態に係る緑化工法に用いる間隙形成基材を示した外観斜視図である。
【図４】本発明の別の実施形態に係る防草基材を示した外観斜視図である。
【図５】本発明の参考例に係る防草基材を示した（ａ）外観斜視図で、及び（ｂ）側断面図である。
【発明を実施するための形態】
【実施例１】
【００１５】
以下、本発明の実施形態について図を参照して説明する。
図１は、本実施形態に係る防草基材１を示した図である。
防草基材１は、緑化を施す施工面上において、植栽植物が根を生やして繁茂するのを許容する一方、施工面から伸長してくる雑草の繁茂を防除する基材である。
この防草基材１は、複数本の糸１ａと糸１ｂとが、緯方向ないし経方向に格子状ないしは網目状に編み込まれると共に、交互に交錯している。
【００１６】
糸１ａは、糸１ｂに比して、厚手で、幅広な扁平糸である。
糸１ａの素材としては例えば、ポリプロピレンなどの各種高分子材料を用いることができるが、とりわけポリ乳酸等の生分解性の高分子材料を用いれば、環境にやさしく好適である。
【００１７】
糸１ｂは、糸１ａに比して、薄手で幅狭な扁平糸である。
糸１ｂの素材も糸１ａと同様に、ポリプロピレンなどの各種高分子材料を用いることができるが、とりわけポリ乳酸等の生分解性の高分子材料を用いれば、環境にやさしく好適である。
【００１８】
このような糸１ａと糸１ｂは、交互に交錯して織り込まれ、全体としてシート形状の防草基材１を形成する。ここで、糸１ａと糸１ｂを編み込んで構成される防草基材１の網目の大きさは、例えば１ｍｍ程度である。
また、隣り合う糸１ａないしは糸１ｂ同士の間であって、一の糸１ａないしは糸１ｂが、別の糸１ａないしは糸１ｂに潜り込む部分には、水平方向に僅かな隙間が形成されている。
【００１９】
以上の構成からなる防草基材１は、緑化を図る施工面上に敷設され、所望の植栽植物の生体又は種子が防草基材１上にまかれる。
施工面から伸び出る雑草は、真っ直ぐ直上に伸びようとするが、糸１ａと糸１ｂとによって形成されたシート状の面にぶつかって、伸長を妨げられる。
一方、防草基材１上の植栽植物の根は、直下のみならず、水平方向など多方向に伸び出るため、糸１ａと糸１ｂとによって形成された水平方向の隙間を介して、あるいはこの隙間を押し広げて、防草基材１下面へ伸長し、施工面に根を下ろすことができる。
【実施例２】
【００２０】
本実施形態は、上述の防草基材１を用いた緑化工法である。
本実施形態に係る緑化工法は、緑化したい場所を施工面２として、この施工面２上に、ウールマット３、上述した防草基材１、間隙形成基材４を順次、積層させ、さらにその上に、植栽を所望する植物（以下、「植栽植物」という）の生体５を吹き付ける。
なお、植栽植物の生体５は適宜、吸水性ポリマー７と共に、シート６で挟み込む。
【００２１】
施工面２は例えば、土壌、砂利や砕石等が堆積した地面等である。この施工面２には、本実施形態に係る緑化工法の実施により、最終的に、植栽植物の根が当該施工面２に根を伸長させる。
【００２２】
ウールマット３は、植栽植物の成形培地である。このウールマット３は例えばロックウールマットであり、ケイ酸等を主成分とした岩石を高温溶融した後に繊維状にし、シート状に成型したものである。
【００２３】
間隙形成基材４は、飛来してくる雑草の種子により、雑草が繁茂するのを防ぐために用いられるシート状の基材である。
この間隙形成基材４は、図３に示されるように、小さな孔４ａが全面に設けられている。また、一定の厚みを有している。
【００２４】
全面に設けられた孔４ａは、飛来してくる各種の雑草の種子が貫通不可能な程度に、目が細かく作られている。
【００２５】
間隙形成基材４は、保水性のない素材によって構成されている。具体的には、ナイロン系の樹脂が用いられる。
【００２６】
このような構成からなる間隙形成基材４を敷設することで、間隙形成基材４上に、飛来してきた雑草の種子が着地した場合であっても、孔４ａを通過して施工面２に到達しない。この結果、施工面２上で、当該飛来してきた種子により雑草が繁茂するのが防がれる。
また、間隙形成基材４が、一定の厚みを有し、保水性のない素材で構成されていることから、施工面２から毛管現象によって水が伝うことがない。そのため、間隙形成基材４上に着地した種子に、施工面２から水分が供給されず、種子の発芽が妨げられる。
【００２７】
植栽植物の生体５は、生長した植物そのものや、当該植物の根や茎などであり、いわゆる株分けによって植栽植物を繁茂させる。
なお、本実施形態においては、植栽植物の繁茂は生体によるのが好適であるが、これに限らず、植栽植物の種子を用いることもできる。
また、植栽植物の種類は特に限定されるものではないが、いわゆるグランドカバーとしては、生長が早く耐踏性に優れたリピアが好適である。
【００２８】
シート６は、植栽植物の生体５を吸水性ポリマー７と共に挟み込む遮水性のシートである。このシート６としては例えば、ゴムシートあるいは塩ビシート、ポリエステル製の不織布などを用いることができる。
この吸水性ポリマー７を敷設することで、吸水性ポリマー７に保持された水分は、シート６間にのみにとどまり、シート６に挟み込まれた植栽植物の生体５のみに利用される。また併せて、吸水性ポリマー７に保持された水分が漏れ出て、雑草の繁茂を助長するのを防ぐことができる。
なお、シート６には、植栽植物の芽が外部へ伸長するのを妨げないように、あるいは、他の箇所において成長した植栽植物のランナー（匍匐枝）が施工面２に根を生やせるように、適所に複数の小さな孔を設けておいてもよい。
また、シート６は、植栽植物の生体５の生長を阻害する紫外線を遮断する性能を有するものとしてもよい。紫外線の遮断のみを要する場合には、植物の生体５を上下から挟み込まなくとも、植物の生体５の上側のみを、紫外線を遮断するシート６で覆うものとすればよい。この場合においても、シート６の適所に複数の小さな孔を設け、植栽植物の芽が外部へ伸長するのを妨げないように、あるいは、他の箇所において成長した植栽植物のランナー（匍匐枝）が施工面２に根を生やせるようにしておくとよい。
【００２９】
吸水性ポリマー７は、水溶性モノマーの重合体であって、例えば、澱粉−アクリロニトリルグラフト共重合体の加水分解物、カルボキシメチルセルロース架橋体、架橋ポリアクリル酸（塩）、アクリル酸（塩）−ビニルアルコール共重合体および架橋ポリエチレンオキシド等である。
この吸水性ポリマー７により水分を保持して、植栽植物の生体５の生長を促すことが出来る。
【００３０】
以上の各基材を積層させた緑化工法によれば、植栽植物の生体５は、吸水ポリマー７から水分の供給を受けて根を生やすと、防草基材１の下面へ根を伸ばして、ウールマット３及び施工面２上において根を繁茂させ、生長する。これに対して、雑草は、防草基材１に伸長を妨げられて、繁茂が抑制される。
【実施例３】
【００３１】
また、上述した防草基材１の他の例を図４に示す。
以下、本発明の実施形態について図を参照して説明する。
図４は、本実施形態に係る防草基材８を示した図である。
防草基材８は、緑化を施す施工面上において、植栽植物が根を生やして繁茂するのを許容する一方、施工面から伸長してくる雑草の繁茂を防除する基材である。
この防草基材８は、前述した防草基材１と異なり、複数本の緯糸８ａと経糸８ｂとが夫々、緯方向ないし経方向に格子状ないしは網目状に編み込まれると共に、交互に交錯している。
【００３２】
緯糸８ａは、経糸８ｂに比して、厚手で、幅広な扁平糸であり、緯方向に編み込まれている。
緯糸８ａの素材としては例えば、ポリプロピレンなどの各種高分子材料を用いることができるが、とりわけポリ乳酸等の生分解性の高分子材料を用いれば、環境にやさしく好適である。
【００３３】
経糸８ｂは、糸１ａに比して、薄手で幅狭な扁平糸であり、経方向に編み込まれている。
経糸８ｂの素材も緯糸８ａと同様に、ポリプロピレンなどの各種高分子材料を用いることができるが、とりわけポリ乳酸等の生分解性の高分子材料を用いれば、環境にやさしく好適である。
【００３４】
このような緯糸８ａと経糸８ｂは、交互に交錯して織り込まれ、全体としてシート形状の防草基材８を形成する。ここで、緯糸８ａと経糸８ｂを編み込んで構成される防草基材８の網目の大きさは、例えば１ｍｍ程度である。
また、隣り合う緯糸８ａないしは経糸８ｂ同士の間であって、一の緯糸８ａないしは経糸８ｂが、別の経糸８ｂないしは緯糸８ａに潜り込む部分には、水平方向に僅かな隙間が形成されている。
【００３５】
以上の構成からなる防草基材８は、緑化を図る施工面上に敷設され、所望の植栽植物の生体又は種子が防草基材８上にまかれる。
施工面から伸び出る雑草は、真っ直ぐ直上に伸びようとするが、緯糸８ａと経糸８ｂとによって形成されたシート状の面にぶつかって、伸長を妨げられる。
一方、防草基材８上の植栽植物の根は、直下のみならず、水平方向など多方向に伸び出るため、緯糸８ａと経糸８ｂとによって形成された水平方向の隙間を介して、あるいはこの隙間を押し広げて、防草基材８下面へ伸長し、施工面に根を下ろすことができる。
【００３６】
＜参考例＞
また、上述した防草基材１の他の例を図５に示す。
図５（ａ）及び（ｂ）に示されるように、防草基材９は、幅方向に湾曲した略平板長尺状の構成部材９１を複数、側端部を幅方向に順次重ね合わせてなる。
側端部には、縫着孔９１ａが設けられており、縫着孔９１ａを介して、隣り合う構成部材９１同士が糸９２で縫着されている。なお、各構成部材９１は、凸面側ないし凹面側を同一の方向に向けて縫着されている。
【００３７】
防草基材９は、各構成部材９１の湾曲凸面側を施工面２に向けて敷設され、また、各構成部材９１の湾曲凹面側に、間隙形成基材４を介して植栽植物の生体５がまかれる。
このように敷設された防草基材９によれば、施工面２から伸び出る雑草は、各構成部材９１の凸面側にぶつかるが、雑草が構成部材９１を押し上げる力は、各構成部材９１内において圧縮応力に変わる。この結果、施工面２から伸び出した雑草は施工面２へ押し戻される。
一方、各構成部材９１に凹面側にまかれた植栽植物の根は、水平方向から各構成部材９１の間を押し広げて防草基材９の下面へ伸び出し、施工面２へ到達する。
以上により、雑草が繁茂を防ぎつつ、所望の植栽植物により施工面２を緑化することができる。
【００３８】
なお、上記防草基材９は、略平板長尺状の構成部材９１を用いたが、これに限らず、中心部に向かって一面側に凹部を形成し、他面側に凸部を形成するように湾曲した略楕円形の舌片状の構成部材を用いるものとしてもよい。このような構成部材を複数、千鳥格子状に端部を順次重ね合わせることにより、防草基材９と同様に、一面側が凸部からなり、他面側が凹部からなる防草基材を構成することができ、防草基材９と同様の効果を奏することができる。
【００３９】
＜付記＞
雑草の生長を防除しつつ、所望の植栽植物により施工面を緑化する防草基材であって、施工面に向けられる湾曲凸面と、上記植栽植物の種子又は生体が配される湾曲凹面とを備え、幅方向に湾曲した略平板長尺状の構成部材、を複数有し、上記構成部材は、側端部を幅方向に順次重ね合わせてなる、ことを特徴とする防草基材。
また、上記構成部材は、側端部同士が縫着されているものとしてもよい。
【符号の説明】
【００４０】
１      防草基材
１ａ    緯糸
１ｂ    経糸
２      施工面
３      ウールマット
４      間隙形成基材
４ａ    孔
５      植栽植物の生体
６      シート
７      吸水性ポリマー
８      防草基材
８ａ    緯糸
８ｂ    経糸
９      防草基材
９１    構成部材
９１ａ  縫着孔
９２    糸
【図１】
0005489286.tif 000002
【図２】
0005489286.tif 000003
【図３】
0005489286.tif 000004
【図４】
0005489286.tif 000005
【図５】
0005489286.tif 000006